(57)【要約】【課題】所定の折り曲げ位置で折り畳み可能なマットセンサーにおいて、折り曲げ位置でマットセンサーの厚み方向に配線が突出しないようにすることを目的とする。【解決手段】荷重を検出する素子２を埋め込んだ第一の平面１ａおよび第二の平面１ｂを折り曲げ位置で折り畳み可能なマットセンサー１において、第一の平面１ａに埋め込まれた素子２と第二の平面に埋め込まれた素子２とを配線３にて接続するとともに、折り曲げ位置の内部にその配線を水平方向に逃がす空隙４を設けるようにしている。これにより、折り畳まれた状態のマットセンサー１が広げられた場合に、折り曲げ位置にある配線３が空隙４に収容されて水平方向に逃げるため、配線３がマットセンサー１の厚み方向に突出することがなくなり、マットセンサー１が膨らむこともなくなる。【選択図】図２
2014100259.tif 000002
【特許請求の範囲】
【請求項１】
複数の平面と、前記複数の平面の内部に埋め込まれ、荷重を検出するための複数の素子とを有し、前記複数の平面を所定の折り曲げ位置にて折り畳み可能に接続したマットセンサーであって、
前記複数の平面のそれぞれに埋め込まれた前記素子を前記折り曲げ位置において接続する配線と、前記折り曲げ位置の内部に前記配線を水平方向に逃がす空隙とを備えたことを特徴とするマットセンサー。
【発明の詳細な説明】
【技術分野】
【０００１】
本発明は、患者がある領域に出入りしたことや、患者がベッドを離床したこと、患者がベッドから転倒／転落したことを検出するためのマットセンサーに関する。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、患者と記載する）が呼出ボタンを押下することによって看護師や介護師（以下、医療従事者と記載する）を呼び出すことができるように成されたシステムである。
【０００３】
多くのナースコールシステムは、病室のベッド近傍やトイレ、浴室などに設置されるナースコール子機と、ナースセンターに設置されるナースコール親機と、病室や介護室等の各部屋の入口付近に設置される廊下灯と、通話やデータの送受信に関する制御を行う制御機とを備えて構成されている。また、上述した構成に加えて、医療従事者が携行する携帯端末（例えば、ＰＨＳ（Personal Handy phone System）端末など）とＰＢＸ（Private
Branch Exchange：電話交換機）とを備えたナースコールシステムも提供されている。ここで、ナースコール子機としては、呼出ボタンなどの呼出操作部を有するものがある。
【０００４】
そして、このようなナースコールシステムは、患者がナースコール子機の呼出ボタンを操作した場合に、ナースコール子機からナースコール親機へ呼出信号を出力し、呼出信号を入力したナースコール親機にて呼び出しの報知するように構成されている。
【０００５】
ところで、ナースコール子機には、上述した呼出ボタンを備えたものだけではなく、荷重を検出するマットセンサーによって構成されるものも存在する。このマットセンサーをベッド近傍の床に敷き、患者が乗ったことを検出することにより、患者の離床やベッドからの転倒／転落を示す呼出信号をナースコール親機へ出力するようにしたナースコールシステムも知られている（例えば、特許文献１など）。また、患者がある領域（例えばトイレなどの共用スペース）に出入りしたことをマットセンサーにより検出することも考えられる。
【０００６】
特許文献１などに記載されている従来のマットセンサーは、常に使用されているわけではなく、マットセンサーを必要としない患者については、マットセンサーを設置しないことが多い。マットセンサーを使用しない場合、マットセンサーを折り畳むことで、収納スペースを削減することができる。
【０００７】
しかしながら、マットセンサーを折り畳む際の折り曲げ部に荷重を検出するための電極や感圧素子を配置してしまうと、マットセンサーを折り畳むことができなくなってしまうという問題があった。このような問題を解決するために、マットセンサーの折り曲げ部に感圧素子を配置しないようにする技術が知られている（例えば、特許文献２など）。
【０００８】
特許文献２に記載の技術によれば、折り曲げ耐久性の強い配線を折り曲げ部に配置しているため、マットセンサーを折り畳むことによる影響は少ない。しかしながら、マットセンサーの折り畳みを繰り返すと、配線がマットセンサーの厚み方向に突出してきて、マットセンサーが膨らんでしまうという問題があった。
【先行技術文献】
【特許文献】
【０００９】
【特許文献１】特開平１１−２１３２６６号公報
【特許文献２】特開２００５−１３１０３６号公報
【発明の概要】
【発明が解決しようとする課題】
【００１０】
本発明は、このような問題を解決するために成されたものであり、所定の折り曲げ位置で折り畳み可能なマットセンサーにおいて、折り曲げ位置でマットセンサーの厚み方向に配線が突出しないようにすることを目的とする。
【課題を解決するための手段】
【００１１】
上述した課題を解決するために、本発明では、荷重を検出する素子を埋め込んだ複数の平面を所定の折り曲げ位置で折り畳み可能なマットセンサーにおいて、各平面に埋め込まれた素子を配線にて接続するとともに、折り曲げ位置の内部に配線を水平方向に逃がす空隙を設けるようにしている。
【発明の効果】
【００１２】
上記のように構成した本発明によれば、折り畳まれた状態のマットセンサーが広げられた場合に、配線が折り曲げ位置の内部に設けられた空隙に収容されて水平方向に逃げるため、配線がマットセンサーの厚み方向に突出することがなくなり、マットセンサーが膨らむこともなくなる。
【図面の簡単な説明】
【００１３】
【図１】本実施形態によるマットセンサーの外観を示す図である。
【図２】本実施形態によるマットセンサーの内部構造を示す図である。
【発明を実施するための形態】
【００１４】
以下、本発明の一実施形態を図面に基づいて説明する。図１は、本実施形態によるマットセンサー１の外観を示す図である。同図において、マットセンサー１は、第一の平面１ａと第二の平面１ｂとを折り曲げ位置にて折り畳み可能に接続して構成されている。このマットセンサー１には、コードを介して接続端子が接続されており、この接続端子をナースコールシステムなどに接続することで、マットセンサー１が荷重を検出した際に、ナースコールシステムが呼び出しを報知するようになる。
【００１５】
図２は、本実施形態によるマットセンサー１の内部構造を示す図である。同図において、マットセンサー１の第一の平面１ａの内部には、荷重を検出する素子２が全域に渡って設置されている。ここで、素子２は、配線３によって接続されている。また、素子２は、例えば弾性のある絶縁材料を挟む２枚の導電性電極板により構成されている。そのため、何れかの素子２の上から荷重がかかると、電極板が接触して導通し、検出信号を生成する。
【００１６】
また、マットセンサー１の第二の平面１ｂの内部にも、荷重を検出する素子２が全域に渡って設置されている。ここで、素子２は、配線３によって接続されている。また、素子２は、例えば弾性のある絶縁材料を挟む２枚の導電性電極板により構成されている。そのため、何れかの素子２の上から荷重がかかると、電極板が接触して導通し、検出信号を生成する。
【００１７】
また、第一の平面１ａに設置されている素子２と、第二の平面１ｂに設置されている素子２とは、配線３により接続されている。ここで、この配線３は、マットセンサー１が折り曲げ位置により折り畳まれた場合に引っ張られても、断線しない程度の長さを有している。
【００１８】
また、折り曲げ位置の配線３が通る位置には、余分な配線３を第一の平面１ａおよび第二の平面１ｂと水平方向に逃がすための空隙４が形成されている。本実施形態では、空隙４は、マットセンサー１の中央方向に形成されているが、これに限定されない。例えば、マットセンサー１の外側方向に形成されていても良い。
【００１９】
このように構成されたマットセンサー１を使用しない場合には、第一の平面１ａと第二の平面１ｂとを折り曲げ位置にて折り畳む。一方、マットセンサー１を使用する場合には、第一の平面１ａと第二の平面１ｂとを同一平面となるように広げる。このような動作を繰り返すと、折り曲げ位置に存在する配線３に撓みが生じるが、その撓んだ部分の配線３は、空隙４に収容されることになる。
【００２０】
以上詳しく説明したように、本実施形態によれば、荷重を検出する素子２を埋め込んだ第一の平面１ａおよび第二の平面１ｂを折り曲げ位置で折り畳み可能なマットセンサー１において、第一の平面１ａに埋め込まれた素子２と第二の平面に埋め込まれた素子２とを配線３にて接続するとともに、折り曲げ位置の内部にその配線を水平方向に逃がす空隙４を設けるようにしている。
【００２１】
これにより、折り畳まれた状態のマットセンサー１が広げられた場合に、折り曲げ位置にある配線３が空隙４に収容されて水平方向に逃げるため、配線３がマットセンサー１の厚み方向に突出することがなくなり、マットセンサー１が膨らむこともなくなる。
【００２２】
なお、前述した実施形態では、マットセンサー１は第一の平面１ａおよび第二の平面１ｂを所定の折り曲げ位置にて折り畳み可能としたものであるが、これに限定されない。例えば、マットセンサー１を３つ以上の平面により構成するようにしても良い。
【００２３】
また、前述した実施形態では、折り畳み位置にある配線３がマットセンサー１の外側の二箇所に配置されているが、これに限定されない。例えば、マットセンサー１の中央の一箇所のみに配線３を配置するようにしても良い。
【００２４】
また、前述した実施形態では、各素子２を数珠繋ぎにしているが、これに限定されない。例えば、各素子２を並列接続するようにしても良い。
【００２５】
また、前述した実施形態では、マットセンサー１に設けられた接続端子により他のシステム（例えば、ナースコールシステム）にマットセンサー１を接続するようにしているが、これに限定されない。例えば、無線送信機をマットセンサー１の内部に設け、無線により他のシステムに接続するようにしても良い。
【００２６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２７】
１    マットセンサー
１ａ    第一の平面
１ｂ    第二の平面
２    素子
３    配線
４    空隙
【図１】
2014100259.tif 000003
【図２】
2014100259.tif 000004